(57)【要約】【課題】持ち運び可能な金庫であって、外観上金庫であるとわからないものを提供すること。【解決手段】空気清浄機１の交換フィルタを収納するためのスペースに替えて設けられた収納部を金庫とする。空気清浄機１は、交換フィルタを収納するための収納部２ｂ、収納部２ｂを閉じる施錠可能な扉６、及び扉６の前側から収納部２ｂを塞ぐ取り外し可能なカバー３を備える。空気清浄機１用の交換フィルタが収納される収納部２ｂに施錠可能な扉６を設けて収納部２ｂを閉じることで、交換フィルタが収納される収納部２ｂを収納物を収納する収納庫として利用し、その扉６の前側から取り外し可能なカバー３を用いて収納部２ｂを塞いで隠すことで、外観からは収納庫のない通常の空気清浄機に見せかけることができる。【選択図】図２
2018194243.tif 000002
【特許請求の範囲】
【請求項１】
交換フィルタを収納するためのスペースに替えて設けられた収納部と、
前記収納部を閉じる施錠可能な扉と、
前記扉の前側から前記収納部を塞ぐ取り外し可能なカバーと、
を備えることを特徴とする、空気清浄機。
【請求項２】
前記扉は、第１の錠を有することを特徴とする、請求項１に記載の空気清浄機。
【請求項３】
前記扉の前側に交換フィルタの少なくとも一部を配することを特徴とする、請求項１又は２に記載の空気清浄機。
【請求項４】
前記扉は、空気清浄機の状態に応じて施錠及び解錠される第２の錠を有することを特徴とする、請求項１〜３のいずれか一項に記載の空気清浄機。
【請求項５】
前記第２の錠は、空気清浄機が稼働中に解錠し、停止中に施錠することを特徴とする、請求項４に記載の空気清浄機。
【請求項６】
前記カバーの後側で、送風ファンに近接して取り付けられるフィルタをさらに備え、
前記第２の錠は、前記フィルタが取り外されると解錠し、取り付けられると施錠されることを特徴とする、請求項４に記載の空気清浄機。
【請求項７】
前記第２の錠は、移動可能であり、前記フィルタにより押されて前記扉を施錠する錠部材を有することを特徴とする、請求項６に記載の空気清浄機。
【請求項８】
前記第２の錠は、空気清浄機の状態を電気的に検出し、該検出の結果に応じて前記扉を施錠及び解錠することを特徴とする、請求項４〜６のいずれか一項に記載の空気清浄機。
【発明の詳細な説明】
【技術分野】
【０００１】
本発明は、空気清浄機に関する。
【背景技術】
【０００２】
現金等の貴重品を盗難から守るために、金庫に収納し扉を施錠して保管するが、金庫には、持ち運びのできる手提げ型のものと、持ち運びのできない据付け型のものがある。家庭においては、据付け型の金庫は、設置することに面積、据付作業等の困難があり、手提げ型の金庫が広く用いられている。
【０００３】
手提げ型の金庫については、盗難を防止する上で、金庫ごと持ち運ばれてしまうおそれがある点が問題である。すなわち、泥棒は、手間のかかる解錠作業を行わずに金庫ごと持ち運び、後に解錠するあるいは破壊することで金庫内の貴重品を取得することができる。逆に、地震、火事等で避難する際に貴重品を容易に持ち出せるという利点を有することとなる。
【０００４】
特許文献１及び２には、冷蔵庫と一体化した金庫が開示されている。斯かる金庫は、冷蔵庫の重量により、持ち運ぶことによる盗難を防止することができる。しかし、外観上、冷蔵庫に金庫が備えられていることがわかるため、解錠することによる盗難を防止するには十分ではない。また、金庫の体積の分だけ冷蔵庫の容積が減少し、冷蔵庫と金庫を合わせた効用を増しておらず、据付け型の金庫と冷蔵庫を一体化しただけにすぎない。そして、地震、火事等で避難する際に貴重品を容易に持ち出せるという利点がなくなってしまう。
【先行技術文献】
【特許文献】
【０００５】
【特許文献１】特開２００３−１２１０６７号公報
【特許文献２】実用新案登録３０６２０２５号公報
【発明の概要】
【発明が解決しようとする課題】
【０００６】
本発明は、持ち運び可能な金庫であって、外観上金庫であるとわからないものを提供することを課題とする。
【課題を解決するための手段】
【０００７】
特許文献１及び２には、冷蔵庫と一体化した金庫が開示されているが、冷蔵庫には、その本来機能と干渉せずに物品を収納するスペースであって、外観上視認できないものはない。この点、空気清浄機には、交換用の清浄フィルタを保管するスペースを有するものがあり、しかも、そのスペースが前カバーの裏側にあって外観上視認できない。空気清浄機の交換用の清浄フィルタを保管するスペースを金庫として用いれば、外観上金庫であるとわからないものとできる。すなわち、通常の空気清浄機に見せかけた施錠可能な収納庫を有する空気清浄機を提供することができる。
【０００８】
本発明の空気清浄機は、
交換フィルタを収納するためのスペースに替えて設けられた収納部と、
前記収納部を閉じる施錠可能な扉と、
前記扉の前側から前記収納部を塞ぐ取り外し可能なカバーと、
を備えることを特徴とする。
【０００９】
この特徴によれば、収納部に施錠可能な扉を設けて収納部を閉じることで、交換フィルタを収納するためのスペースを収納部（金庫であるが、必ずしも貴重品を収納せずともよいので「収納部」と呼ぶ。）として利用し、その扉の前側から取り外し可能なカバーを用いて収納部を塞いで隠すことで、外観上は収納庫のない通常の空気清浄機に見せかけることができる。
【００１０】
本発明の空気清浄機は、
前記扉は、第１の錠を有することを特徴とする。
【００１１】
この特徴によれば、第１の錠により扉を施錠し、収納部に収納される収納物を守ることができる。
【００１２】
本発明の空気清浄機は、
前記扉の前側に交換フィルタの少なくとも一部を配することを特徴とする。
【００１３】
この特徴によれば、交換フィルタが収納されていると見せかけて収納部を偽装することができる。
【００１４】
本発明の空気清浄機は、
前記扉は、空気清浄機の状態に応じて施錠及び解錠される第２の錠を有することを特徴とする。
【００１５】
この特徴によれば、泥棒が第１の錠に気付いて解錠した場合にも、第２の錠によって扉が開かない状態とすることができる。ここで「状態」とは、電気的な動作の状態、各々の部材の装着状態を含む。
【００１６】
本発明の空気清浄機は、
前記第２の錠は、空気清浄機が稼働中に解錠し、停止中に施錠することを特徴とする。
【００１７】
この特徴によれば、通常、空気清浄機の使用中にカバーを取り外すことはないから、第２の錠が解錠されてしまう可能性を小さくすることができる。また、カバーを取り外すことによって非稼働となる空気清浄機については、カバー差し込み箇所に棒等を差し込むことが必要となり、第２の錠が解錠されてしまう可能性をさらに小さくすることができる。
【００１８】
本発明の空気清浄機は、
前記カバーの後側で、送風ファンに近接して取り付けられるフィルタをさらに備え、
前記第２の錠は、前記フィルタが取り外されると解錠し、取り付けられると施錠されることを特徴とする。
【００１９】
この特徴によっても、第２の錠が解錠されてしまう可能性を小さくすることができる。
【００２０】
本発明の空気清浄機は、
前記第２の錠は、移動可能であり、前記フィルタにより押されて前記扉を施錠する錠部材を有することを特徴とする。
【００２１】
この特徴によっても、第２の錠が解錠されてしまう可能性を小さくすることができる。
【００２２】
本発明の空気清浄機は、
前記第２の錠は、空気清浄機の状態を電気的に検出し、該検出の結果に応じて前記扉を施錠及び解錠することを特徴とする、請求項４〜６のいずれか一項に記載の空気清浄機。
【００２３】
この特徴によれば、第２の錠を、空気清浄機の状態に応じて自動で施錠及び解錠することができる。
【発明の効果】
【００２４】
本発明によれば、持ち運び可能な金庫であって、外観上金庫であるとわからないものを提供することが可能となる。
【図面の簡単な説明】
【００２５】
【図１】図１は、従来の空気清浄機の構成を示す図である。
【図２】図２は、本発明の空気清浄機の構成を示す図である。
【図３】図３は、第２の錠の構成例を示す図である。
【発明を実施するための形態】
【００２６】
以下、本発明の実施例について説明する。
【実施例１】
【００２７】
（従来の空気清浄機）
図１に、従来の空気清浄機１の構成を示す。ここで、図１（Ａ）は正面図、図１（Ｂ）は図１（Ａ）における基準線ＢＢに関する断面図、図１（Ｃ）は図１（Ｂ）における基準線ＣＣに関する断面図である。図１（Ａ）及び（Ｃ）における左右方向を横方向、図１（Ｂ）における左右方向を奥行き方向、図１（Ａ）〜（Ｃ）における上下方向を高さ方向と呼ぶ。空気清浄機１は、本体２、カバー３、清浄フィルタ４及び内部機器５（送風ファン５ａ及び脱臭触媒５ｂ）を備える。
【００２８】
本体２は、清浄フィルタ４、内部機器５等を内部に保持する箱体である。本体２には、下側及び上側にそれぞれ収納部２ａ，２ｂが設けられている。収納部２ａは、正面視において略正方形状に開口し、奥行き方向に拡がる空間を有し、その内部に清浄フィルタ４及び内部機器５が収納される。収納部２ｂは、正面視において横方向を長手とする矩形状に開口し、奥行き方向に拡がる空間を有し、交換用の清浄フィルタ４（交換フィルタと呼ぶ）を１又は複数収納するために設けられている。なお、清浄フィルタ４と内部機器５との配置は、図示したものに限定されず、任意でよい。また、２枚以上の清浄フィルタ４を有してもよい。
【００２９】
カバー３は、後述する扉６の前側から収納部２ｂとともに収納部２ａを塞ぐ蓋体であり、本体２の前面に取り外し可能に固定することができる。カバー３は、上側中央に空気清浄機１を操作するための操作パネル３ａ、下側に横方向に延びる開口３ｂが設けられている。操作パネル３ａより、電源のオンオフ、送風の強度等を操作することができる。内部機器５が稼働することにより、開口３ｂを介して空気が本体２内に取り込まれる。
【００３０】
清浄フィルタ４は、これに空気を通すことで、空気内に含まれる粉塵等を取り除いて空気を清浄するフィルタである。清浄フィルタ４は、本体２の収納部２ａ内で内部機器５に近接して配される。なお、清浄フィルタ４は、集塵だけでなく、脱臭の機能を果たす素材より構成してよい。清浄フィルタ４は、使用時の幅よりも小さな奥行の収納部２ｂに収納するため、伸縮可能な蛇腹形状に形成されている。
【００３１】
内部機器５は、外部電源（不図示）から供給される電力により稼働して送風するファン５ａ、脱臭触媒５ｂを含み、本体２の収納部２ａの内側に配される。内部機器５は、カバー３の開口３ｂを介して空気を本体２内に取り込み、本体２の背面から排気する。なお、内部機器５は、脱臭触媒５ｂを有さない、あるいは脱臭触媒５ｂに替えて（又は加えて）他の部材（例えば除湿装置、加湿装置）を有することも可能である。
【００３２】
（本発明の空気清浄機）
図２に、本発明の空気清浄機１の構成を示す。図１と同様に描いた図である。図１に示された従来の空気清浄機１と比較すると、扉６が付されている。
【００３３】
扉６は、収納部２ｂを閉じる開き戸である。ここでは、一例として片開き戸を採用しているが、両開き戸、観音開き戸等であってもよい。扉６は、例えば鍵を用いる錠６ａを有する。それにより、交換フィルタを収納するために設けられている収納部２ｂを貴重品等を収納する収納庫として利用することができる。また、鍵を空気清浄機１から離して管理することで、収納部２ｂに収納される収納物を守ることができる。なお、錠６ａは、解錠番号入力式のもの、ダイヤル式のもの、その他任意のものを用いることができる。
【００３４】
図２（Ａ）に示されるように、通常の状態では、カバー３が扉６を被覆しており、扉６を視認することができない。図２（Ａ）が図１（Ａ）と同一であるように、本発明の空気清浄機１は、通常の状態では従来の空気清浄機１と見分けることができない。
【００３５】
カバー３を外すと、図２（Ｂ）に示すように見え、扉６が視認される。ここで、扉６の前側にダミーフィルタ６ｂを配しておくとよい。
【００３６】
ダミーフィルタ６ｂは、清浄フィルタ４と同一の１つのフィルタ又はその一部であり、収納部２ｂ内で扉６の前側に配される。すなわち、扉６がない場合に清浄フィルタ４を収納部２ｂに収納した状態における、清浄フィルタ４の扉６よりも前方の部分が、ダミーフィルタ６ｂとなる。交換フィルタが収納されていると見せかけて収納部２ｂを隠すことができる。
【００３７】
以上詳細に説明したように、本実施例の空気清浄機１は、交換フィルタを収納するための収納部２ｂ、収納部２ｂを閉じる施錠可能な扉６、及び扉６の前側から収納部２ｂを塞ぐ取り外し可能なカバー３を備える。空気清浄機１用の交換フィルタが収納される収納部２ｂに施錠可能な扉６を設けて収納部２ｂを閉じることで、交換フィルタが収納される収納部２ｂを収納物を収納する収納庫として利用し、その扉６の前側から取り外し可能なカバー３を用いて収納部２ｂを塞いで隠すことで、外観からは収納庫のない通常の空気清浄機に見せかけることができる。持ち運び可能な金庫であって、外観上金庫であるとわからないものを提供することができる。
【実施例２】
【００３８】
本実施例は、第二の錠７（８）を活用するものである。他の部分は実施例１と同様であり、詳細な説明を省略する。
【００３９】
第２の錠は、電気信号によって解施錠される電子錠７であっても、部材の噛み合わせにより解施錠される構造錠８であってもよい。
【００４０】
電子錠７は、空気清浄機１の状態を電気的に検出し、その検出結果に応じて扉６を施錠及び解錠する。空気清浄機の運転に用いる電源（例えば家庭用のＡＣ電源）を用いて電子錠７を動作させることができる。
【００４１】
電子錠７は、例えば、空気清浄機１の運転を検出すると扉６を解錠し、停止を検出すると扉６を施錠するようにすることができる。通常、カバー３を取り外して空気清浄機１を使用中することはないから、扉６を解錠する目的で空気清浄機１を運転することに気づくことは困難である。収納部２ｂに収納された収納物を守ることができる。なお、例えば運転強度が「強」の場合にのみ解錠し、「弱」の場合には解錠しないようにしてもよい。
【００４２】
また、電子錠７は、検出器７ｂを用いて清浄フィルタ４が収納部２ａから取り外されたことを検出すると扉６を解錠し、収納部２ａ内に取り付けられたことを検出すると扉６を施錠する。カバー３を取り外した直後には清浄フィルタ４が装着されているから、扉６を解錠する目的で清浄フィルタ４を取り外すことに気づくことは困難である。
【００４３】
図３に、第２の錠の構成例を示す。図３（Ａ）は清浄フィルタ４を装着した状態、図３（Ｂ）は清浄フィルタ４を取り外した状態を示す。図は、図２（Ｂ）における基準線ＤＤに関する断面の右上部である。電子錠７は、電極７ａ１及び電極７ａ２を有する。清浄フィルタ４は互いに導通した電極７ｂ１及び電極７ｂ２を有する。清浄フィルタ４を装着すると電極７ａ１と電極７ａ２とが導通し、清浄フィルタ４を取り外すと電極７ａ１と電極７ａ２とが絶縁される。これにより、清浄フィルタ４の装着／取り外しを電気的に検出することができる。
【００４４】
以上、電子錠の解錠について、空気清浄機１の運転／停止及び清浄フィルタ４の装着／取り外しによるものを説明した。清浄フィルタ４以外の部品の装着／取り外しを電気的に検出してもよい、また、これらを組み合わせて解錠の条件としてもよい。解錠の条件を察知されてしまうリスクが小さくなる。
【００４５】
電子錠７に代えて、構造錠８を用いてもよい。図３に示すように、清浄フィルタ４を装着すると移動片８ａが清浄フィルタ４によって上方に押し上げられ、清浄フィルタ４を取り外すと重力によって下方に落下するようにすることができる。移動片８ａに部材を接続して、構造錠８の施解錠を移動片８ａの位置によって行うことができる。構造錠であっても電子錠と同様の効果を得ることができる。なお、上下の移動でなく、前後、左右、斜めに移動させても、回転させてもよい。
【００４６】
以上詳細に説明したように、本実施例に係る空気清浄機１は、電子錠７又は構造錠８によって扉６の解錠を困難としている。扉６に気づかれた場合における安全性が、実施例１の空気清浄機１よりも高まっている。
【産業上の利用可能性】
【００４７】
外観上通常の空気清浄機に見せかけた施錠可能な収納庫を有する空気清浄機であり、持ち運び可能な金庫であって外観上金庫であるとわからないものである。多くの企業又は個人による利用が期待される。
【符号の説明】
【００４８】
１    空気清浄機
２    本体
２ａ  収納部
２ｂ  収納部
３    カバー
３ａ  操作パネル
３ｂ  開口
４    清浄フィルタ
５    内部機器
５ａ  送風ファン
５ｂ  脱臭触媒
６    扉
６ａ  錠
６ｂ  ダミーフィルタ
７    電子錠
７ａ  端子
７ｂ  端子
８    構造錠
８ａ  移動片
【図１】
2018194243.tif 000003
【図２】
2018194243.tif 000004
【図３】
2018194243.tif 000005
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
交換フィルタを収納するためのスペースに替えて設けられた収納部と、
前記収納部を閉じる施錠可能な扉と、
前記扉の前側から前記収納部、並びに、清浄フィルタ及び内部機器を収納する別の収納部を、共に塞ぐ取り外し可能なカバーと、
を備え、
前記カバーは、空気を通過させる開口及び前記空気清浄機を操作するための操作パネルの少なくとも一方を備えることを特徴とする、空気清浄機。
【請求項２】
前記扉は、第１の錠を有することを特徴とする、請求項１に記載の空気清浄機。
【請求項３】
前記扉の前側に交換フィルタの少なくとも一部を配することを特徴とする、請求項１又は２に記載の空気清浄機。
【請求項４】
前記扉は、空気清浄機の状態に応じて施錠及び解錠される第２の錠を有することを特徴とする、請求項１〜３のいずれか一項に記載の空気清浄機。
【請求項５】
前記第２の錠は、空気清浄機が稼働中に解錠し、停止中に施錠することを特徴とする、請求項４に記載の空気清浄機。
【請求項６】
前記カバーの後側で、送風ファンに近接して取り付けられるフィルタをさらに備え、
前記第２の錠は、前記フィルタが取り外されると解錠し、取り付けられると施錠されることを特徴とする、請求項４に記載の空気清浄機。
【請求項７】
前記第２の錠は、移動可能であり、前記フィルタにより押されて前記扉を施錠する錠部材を有することを特徴とする、請求項６に記載の空気清浄機。
【請求項８】
前記第２の錠は、空気清浄機の状態を電気的に検出し、該検出の結果に応じて前記扉を施錠及び解錠することを特徴とする、請求項４〜６のいずれか一項に記載の空気清浄機。